(57)【要約】【課題】景品陳列棚におけるレイアウト変更を容易ならしめて作業コストを低減させることができる景品取得ゲーム装置を提供する。【解決手段】クレーンゲーム機１００は、内部に景品Ｐが載置されるプレイフィールド２と、プレイフィールド２内に配置された景品Ｐを取得するための把持装置２００Ｌ，２００Ｒとを備え、プレイヤーの操作により把持装置２００Ｌ，２００Ｒを動作させてプレイフィールド２内の景品Ｐを取得する遊戯を実行可能であって、プレイフィールド２内の後方に立設され、景品Ｐを配置して展示するための陳列棚本体３００Ａと、陳列棚本体３００Ａをプレイフィールド２内において前後方向に移動可能なスライドレール３０２Ｒ，３０２Ｃ，３０２Ｒとを備えている。【選択図】図１０
2019136171.tif 000002
【特許請求の範囲】
【請求項１】
内部に景品が載置されるプレイフィールドと、前記プレイフィールド内に配置された景品を取得するための景品取得装置とを備え、プレイヤーの操作により前記景品取得装置を動作させて前記プレイフィールド内の景品を取得する遊戯を実行可能な景品取得ゲーム装置であって、
前記プレイフィールド内の後方に立設され、景品を配置して展示するための景品陳列棚と、
前記景品陳列棚を前記プレイフィールド内において前後方向に移動可能な移動手段とを備えたことを特徴とする景品取得ゲーム装置。
【請求項２】
前記景品陳列棚は、前記プレイフィールド内の後方における展示位置と、該景品陳列棚に対する景品の配置作業を行うための作業位置との間で前記移動手段により変位可能であり、
前記景品陳列棚を前記作業位置で保持するための保持手段をさらに備えたことを特徴とする請求項１に記載の景品取得ゲーム装置。
【請求項３】
前記移動手段は、後方に向けて下り傾斜をなすように構成されていることを特徴とする請求項１又は２に記載の景品取得ゲーム装置。
【請求項４】
後方に移動する前記景品陳列棚を減速させる減速手段を備えたことを特徴とする請求項１乃至３のいずれか一項に記載の景品取得ゲーム装置。
【請求項５】
前記減速手段は、前記移動手段における摺動摩擦抵抗を増加させる摺接部材により構成されていることを特徴とする請求項４に記載の景品取得ゲーム装置。
【請求項６】
前記移動手段は、スライドレールにより構成されていることを特徴とする請求項１乃至５のいずれか一項に記載の景品取得ゲーム装置。
【発明の詳細な説明】
【技術分野】
【０００１】
本発明は、景品取得ゲーム装置に関する。
【背景技術】
【０００２】
クレーンゲーム機に代表される景品取得ゲーム装置は、ゲームセンター等の遊戯場に設置され、筐体内部に形成されたプレイフィールド内に多数の景品が載置されて使用されるものである。遊戯者は、レバーやボタン等の操作手段を用いてクレーンアームを有する把持装置をプレイフィールド内で移動させることができる。そして、遊戯者は、所望とする景品が載置されている位置まで把持装置を移動させた後、クレーンアームでこの景品を把持させ、その状態で、景品排出口まで揚送することにより、景品を獲得することができる。
【０００３】
従来の景品取得ゲーム装置では、プレイフィールド内に景品が山積み状態で配置されているので、獲得可能な景品を容易に認識できない場合があり、そのために遊戯者の所望とする景品が認識され難く、遊戯意欲が生じ難いという問題があった。
【０００４】
このような景品取得ゲーム装置において、プレイフィールドの後側に景品を展示するための景品陳列棚を設け、例えば、当該景品取得ゲーム装置において獲得可能な景品をこの景品陳列棚に配置して、獲得可能な景品を容易に認識可能とすることで、遊戯者の遊戯意欲を向上させるようにしたものがある（例えば、特許文献１参照）。
【先行技術文献】
【特許文献】
【０００５】
【特許文献１】特開２０１４−００４１７６号公報
【発明の概要】
【発明が解決しようとする課題】
【０００６】
ところで、景品取得ゲーム装置は、ゲームセンター等の遊戯場において、壁面に沿って設置されるか、景品取得ゲーム装置同士が背面合わせで設置されて使用されることが通常であり、背面に対するアクセスが困難な場合がほとんどである。そのため、上記特許文献１に記載の景品取得ゲーム装置では、ディスプレイ効果を高めるために景品陳列棚における景品のレイアウトを変更する場合には、プレイフィールドの前面側に配置される前面板を開放することにより行わなければならず、前面板から景品陳列棚までの距離が大きいことから、景品の配置作業に多大な負担が強いられ、景品陳列棚におけるレイアウト変更の作業コストが大きいという問題がある。
【０００７】
本発明は、上記課題に鑑みてなされたものであり、景品陳列棚におけるレイアウト変更を容易ならしめて作業コストを低減させることができる景品取得ゲーム装置を提供することを目的とするものである。
【課題を解決するための手段】
【０００８】
上記目的を解決するため、請求項１に記載の発明は、
内部に景品が載置されるプレイフィールドと、前記プレイフィールド内に配置された景品を取得するための景品取得装置とを備え、プレイヤーの操作により前記景品取得装置を動作させて前記プレイフィールド内の景品を取得する遊戯を実行可能な景品取得ゲーム装置であって、
前記プレイフィールド内の後方に立設され、景品を配置して展示するための景品陳列棚と、
前記景品陳列棚を前記プレイフィールド内において前後方向に移動可能な移動手段とを備えたことを特徴とする。
【０００９】
請求項２に記載の発明は、請求項１に記載の景品取得ゲーム装置において、
前記景品陳列棚は、前記プレイフィールド内の後方における展示位置と、該景品陳列棚に対する景品の配置作業を行うための作業位置との間で前記移動手段により変位可能であり、
前記景品陳列棚を前記作業位置で保持するための保持手段をさらに備えたことを特徴とする。
【００１０】
請求項３に記載の発明は、請求項１又は２に記載の景品取得ゲーム装置において、
前記移動手段は、後方に向けて下り傾斜をなすように構成されていることを特徴とする。
【００１１】
請求項４に記載の発明は、請求項１乃至３のいずれか一項に記載の景品取得ゲーム装置において、
後方に移動する前記景品陳列棚を減速させる減速手段を備えたことを特徴とする。
【００１２】
請求項５に記載の発明は、請求項４に記載の景品取得ゲーム装置において、
前記減速手段は、前記移動手段における摺動摩擦抵抗を増加させる摺接部材により構成されていることを特徴とする。
【００１３】
請求項６に記載の発明は、請求項１乃至５のいずれか一項に記載の景品取得ゲーム装置において、
前記移動手段は、スライドレールにより構成されていることを特徴とする。
【発明の効果】
【００１４】
本発明によれば、景品陳列棚におけるレイアウト変更を容易ならしめて作業コストを低減させることができる景品取得ゲーム装置を提供することができる。
【図面の簡単な説明】
【００１５】
【図１】本実施形態におけるクレーンゲーム機の外観を示す斜視図である。
【図２】陳列棚の正面図である。
【図３】陳列棚の右側面図である。
【図４】陳列棚の斜視図である。
【図５】（Ａ）は、ブラケットの正面図であり、（Ｂ）は、ブラケットの左側面図であり、（Ｃ）は、ブラケットの平面図である。
【図６】ブラケットをフレームに取り付けた状態を示す断面拡大図である。
【図７】（Ａ）は、陳列棚が後方に位置するときのスライドレールの状態を示す図であり、（Ｂ）は、陳列棚が前方に位置するときのスライドレールの状態を示す図である。
【図８】（Ａ）は、インナーレールが前端に位置するときのスライドレールの状態を示す図であり、（Ｂ）は、インナーレールの摺動中におけるスライドレールの状態を示す図であり、（Ｃ）は、インナーレールが後端に位置するときのスライドレールの状態を示す図である。
【図９】（Ａ）は、図８（Ｃ）におけるスライドレールの後端部分の拡大図であり、（Ｂ）は、図９（Ａ）におけるＡ−Ａ断面図である。
【図１０】クレーンゲーム機の使用状態を示す斜視図である。
【図１１】陳列棚に景品を設置する作業手順について説明する図であって、（Ａ）は、陳列棚を操作している様子を示す図であり、（Ｂ）は、陳列棚に景品を設置している様子を示す図であり、（Ｃ）は、景品の設置作業が終了した様子を示す図である。
【図１２】陳列棚に対する景品の設置態様の例を示す図であって、（Ａ）は、ポールに景品を載置して展示している状態を示す図であり、（Ｂ）は、ポールに景品を吊設して展示している状態を示す図であり、（Ｃ）は、ポールと後方パネルとで挟持して展示している状態を示す図である。
【図１３】陳列棚の他の例を示す斜視図である。
【図１４】（Ａ）は、図１３に示す陳列棚のサイドパネルを示す図であり、（Ｂ）は、図１３に示す陳列棚に適用可能なサイドパネルの別の例を示す図である。
【発明を実施するための形態】
【００１６】
以下、本発明の実施の形態に係る景品取得ゲーム装置（例えば、クレーンゲーム機）について、図面を参照しながら説明する。ただし、発明の範囲は図示例に限定されない。なお、以下の説明において、同一の機能及び構成を有するものについては、同一の符号を付し、その説明を省略する。
【００１７】
まず、図１を用いて、本発明を適用することができる景品取得ゲーム装置の一例としてのクレーンゲーム機１００の全体構成について説明する。なお、図１は、本実施形態におけるクレーンゲーム機の外観を示す斜視図である。本実施形態の説明において、左右、前後、上下とは、クレーンゲーム機１００の遊戯者が正面側から見た状態を基準とした左右、前後、上下を意味する。
【００１８】
クレーンゲーム機１００は、箱型形状をなしており、底面にキャスタＣが適宜数取り付けられて立設されている。したがって、ゲームセンター等の遊戯場のスタッフがクレーンゲーム機１００を押動することにより容易に搬送することができるようになっている。
【００１９】
クレーンゲーム機１００は、箱状の基台１と、基台１の上方に形成されたプレイフィールド２と、プレイフィールド２の上方を覆う天板３とを備えて構成されている。
【００２０】
基台１には、例えば、クレーンゲーム機１００の全体制御を行う制御部を有する制御基板（図示せず）等が収容されており、基台１の前面の中央左側に設けられた開閉扉１ａＬあるいは中央右側に設けられた開閉扉１ａＲを開放することにより、内部にアクセスすることができるようになっている。また、基台１の前面中央下部には、後述するコインセレクタ９ａ，９ｂ，９ｃ，９ｄによって受け付けられた硬貨やコインを回収するための集金扉１ｂが開閉可能に設けられている。
【００２１】
プレイフィールド２は、多数の景品Ｐ（図１０参照）が載置される底部２ａを有するとともに、前面スライドドア２ｂＬ，２ｂＲ、左側面板２ｃ、右側面板２ｄ、背面板２ｅ及び上述した天板３により閉塞された内部空間が形成されている。そして、前面スライドドア２ｂＬ，２ｂＲ、左側面板２ｃ及び右側面板２ｄは、透明のガラスあるいは樹脂により形成された板状部材により構成されており、内部空間が視認できるようになっている。
【００２２】
プレイフィールド２の底部２ａの左前隅部には、方形状に開口された１Ｐ側景品排出口４Ｌが設けられ、プレイフィールド２の底部２ａの右前隅部には、方形状に開口された２Ｐ側景品排出口４Ｒが設けられており、それぞれ景品Ｐを下方に排出することができるようになっている。１Ｐ側景品排出口４Ｌから排出された景品Ｐは、１Ｐ側景品取出室６Ｌまで落下し、基台１の前面の左側に設けられた１Ｐ側扉体７Ｌを開放することにより、１Ｐ側景品取出室６Ｌにある景品Ｐを取り出すことができるようになっており、２Ｐ側景品排出口４Ｒから排出された景品Ｐは、２Ｐ側景品取出室６Ｒまで落下し、基台１の前面の右側に設けられた２Ｐ側扉体７Ｒを開放することにより、２Ｐ側景品取出室６Ｒにある景品Ｐを取り出すことができるようになっている。ここで、１Ｐ側扉体７Ｌ及び２Ｐ側扉体７Ｒは、透明のガラスあるいは樹脂により形成された板状部材により構成されており、１Ｐ側扉体７Ｌあるいは２Ｐ側扉体７Ｒを介して内部を視認することができるようになっている。また、底部２ａには、１Ｐ側景品排出口４Ｌの右側端部及び後側端部を囲うように仕切板５Ｌが立設され、２Ｐ側景品排出口４Ｒの左側端部及び後側端部を囲うように仕切板５Ｒが立設されており、底部２ａに載置され、あるいは、積み上げられた景品Ｐが１Ｐ側景品排出口４Ｌあるいは２Ｐ側景品排出口４Ｒから落下するのを抑制している。
【００２３】
プレイフィールド２の上方には、天板３の前後両端近傍においてそれぞれ左右方向に延びて平行に設けられた一対の横行用レール２０１ａ，２０１ｂと、一対の横行用レール２０１ａ，２０１ｂに架設された１Ｐ側縦行用レール２０２Ｌ及び２Ｐ側縦行用レール２０２Ｒとが設けられている。また、１Ｐ側縦行用レール２０２Ｌには、１Ｐ側把持装置２００Ｌが１Ｐ側縦行用レール２０２Ｌの延在方向に沿って前後方向に移動可能に取り付けられ、２Ｐ側縦行用レール２０２Ｒには、２Ｐ側把持装置２００Ｒが２Ｐ側縦行用レール２０２Ｒの延在方向に沿って前後方向に移動可能に取り付けられている。なお、以下の説明において、１Ｐ側縦行用レール２０２Ｌ及び２Ｐ側縦行用レール２０２Ｒを総称して単に縦行用レールということがあり、また、１Ｐ側把持装置２００Ｌ及び２Ｐ側把持装置２００Ｒを総称して単に把持装置ということがある。
【００２４】
１Ｐ側縦行用レール２０２Ｌは、横行用モータ（図示せず）により横行用レール２０１ａ，２０１ｂの延在方向であって、横行用レール２０１ａ，２０１ｂの左側端部と横行用レール２０１ａ，２０１ｂの略中央に設けられたストッパＳＴとの間で移動可能に構成されている。
【００２５】
２Ｐ側縦行用レール２０２Ｒは、横行用モータ（図示せず）により横行用レール２０１ａ，２０１ｂの延在方向であって、横行用レール２０１ａ，２０１ｂの右側端部と横行用レール２０１ａ，２０１ｂの略中央に設けられたストッパＳＴとの間で移動可能に構成されている。
【００２６】
１Ｐ側把持装置２００Ｌは、１Ｐ側縦行用レール２０２Ｌの延在方向に沿って移動可能に取り付けられた駆動装置２０３Ｌと、駆動装置２０３Ｌの下方に設けられた本体部２０４Ｌとを備えて構成されている。
【００２７】
２Ｐ側把持装置２００Ｒは、２Ｐ側縦行用レール２０２Ｒの延在方向に沿って移動可能に取り付けられた駆動装置２０３Ｒと、駆動装置２０３Ｒの下方に設けられた本体部２０４Ｒとを備えて構成されている。
【００２８】
駆動装置２０３Ｌ，２０３Ｒは、把持装置２００Ｌ，２００Ｒを縦行用レールの延在方向に沿って移動させるための縦行用モータ（図示せず）と、本体部２０４Ｌ，２０４Ｒを昇降させるための昇降用モータ（図示せず）とを備えている。なお、本実施形態では、本体部２０４Ｌ，２０４Ｒを昇降させる手段として、吊下げワイヤの先端部に本体部２０４Ｌ，２０４Ｒを取り付け、昇降用モータによる吊下げワイヤの巻取り及び繰出しにより本体部２０４Ｌ，２０４Ｒを上下方向に変位させる構成としているが、伸縮パイプからなる吊下支持部の先端に本体部２０４Ｌ，２０４Ｒを取り付け、吊下支持部を伸縮させることにより本体部２０４Ｌ，２０４Ｒを上下方向に変位させる構成としてもよい。
【００２９】
本体部２０４Ｌ，２０４Ｒは、吊下げワイヤが取り付けられる本体ケース２０４Ｌａ，２０４Ｒａと、本体ケースの下部に配置されたアーム取付部２０４Ｌｂ，２０４Ｒｂと、アーム取付部２０４Ｌｂ，２０４Ｒｂに支持された１又は複数本のアーム２０４Ｌｃ，２０４Ｒｃとを備えて構成されている。本体部２０４Ｌ，２０４Ｒは、アーム２０４Ｌｃ，２０４Ｒｃを開閉駆動するアクチュエータを備えており、このアクチュエータの駆動により、アーム２０４Ｌｃ，２０４Ｒｃが開状態と閉状態とに変位し、プレイフィールド２に載置された景品Ｐを把持することができる。ここで、アクチュエータとして、駆動モータやソレノイド等の駆動源を採用することができる。
【００３０】
一方、基台１の前面上部左側には１Ｐ側操作部８Ｌが設けられ、基台１の前面上部右側には２Ｐ側操作部８Ｒが設けられており、いずれも左右両端に丸みを帯びた箱型形状をなしている。以下、１Ｐ側操作部８Ｌ及び２Ｐ側操作部８Ｒを総称して単に操作部ということがある。操作部８Ｌ，８Ｒは、その上面に、操作レバー８１Ｌ，８１Ｒ、操作ボタン８２Ｌ，８２Ｒ及び表示部（図示せず）が配置されている。操作レバー８１Ｌ，８１Ｒ及び操作ボタン８２Ｌ，８２Ｒは、遊戯者により操作が可能となっており、表示部には、例えば、遊戯可能残り回数や遊戯残り時間等が表示される。
【００３１】
遊戯者は、１Ｐ側操作部８Ｌの操作レバー８１Ｌを操作することにより１Ｐ側把持装置２００Ｌをプレイフィールド２の左半分側の空間における任意の位置に移動させ、操作ボタン８２Ｌを操作することにより、１Ｐ側把持装置２００Ｌの本体部２０４Ｌを下降させるとともに、把持動作を行わせることができる。１Ｐ側把持装置２００Ｌは、把持動作が終了すると上昇し、アーム２０４Ｌｃを閉状態に維持させながら１Ｐ側景品排出口４Ｌの上方に移動し、アーム２０４Ｌｃを開状態に変化させる。このとき、景品Ｐが１Ｐ側把持装置２００Ｌにより把持されていた場合には、１Ｐ側景品排出口４Ｌに向けて景品Ｐが落下して１Ｐ側景品取出室６Ｌに案内され、その結果、遊戯者は、１Ｐ側景品取出室６Ｌから景品Ｐを取り出すことができる。
【００３２】
また、遊戯者は、２Ｐ側操作部８Ｒの操作レバー８１Ｒを操作することにより２Ｐ側把持装置２００Ｒをプレイフィールド２の右半分側の空間における任意の位置に移動させ、操作ボタン８２Ｒを操作することにより、２Ｐ側把持装置２００Ｒの本体部２０４Ｒを下降させるとともに、把持動作を行わせることができる。２Ｐ側把持装置２００Ｒは、把持動作が終了すると上昇し、アーム２０４Ｒｃを閉状態に維持させながら２Ｐ側景品排出口４Ｒの上方に移動し、アーム２０４Ｒｃを開状態に変化させる。このとき、景品Ｐが２Ｐ側把持装置２００Ｒにより把持されていた場合には、２Ｐ側景品排出口４Ｒに向けて景品Ｐが落下して２Ｐ側景品取出室６Ｒに案内され、その結果、遊戯者は、２Ｐ側景品取出室６Ｒから景品Ｐを取り出すことができる。
【００３３】
本実施形態では、１Ｐ側把持装置２００Ｌを用いた遊戯と２Ｐ側把持装置２００Ｒを用いた遊戯とを別個独立して実行することができ、すなわち、本実施形態に係るクレーンゲーム機１００は、２人同時に遊戯を行うことが可能となっている。このように、本実施形態では、把持装置２００Ｌ，２００Ｒは、景品取得装置として機能している。
【００３４】
なお、本実施形態では、操作レバー８１Ｌ，８１Ｒ及び操作ボタン８２Ｌ，８２Ｒを操作することにより、把持装置２００Ｌ，２００Ｒに動作を行わせるように構成されているが、操作ボタンのみで把持装置２００Ｌ，２００Ｒに動作を行わせるように構成されたものであってもよい。例えば、横移動ボタンと縦移動ボタンとを備え、まず、横移動ボタンを操作して把持装置２００Ｌ，２００Ｒを左右方向に移動させた後、縦移動ボタンを操作して把持装置２００Ｌ，２００Ｒを前後方向に移動させ、その場所で把持装置２００Ｌ，２００Ｒによる把持動作が行われるように構成されてもよい。また、操作レバーのみ設け、操作ボタンを備えない構成であってもよい。また、表示部を備えない構成であってもよい。
【００３５】
また、基台１の前面中央上部には、サービス用扉１ｃが設けられており、このサービス用扉１ｃには、４つのコインセレクタ９ａ，９ｂ，９ｃ，９ｄが並設されている。これらコインセレクタ９ａ〜９ｄのうち、左側に配置された２つのコインセレクタ９ａ，９ｂは、１Ｐ側把持装置２００Ｌを用いた遊戯を行うためのコインセレクタであって、それぞれ受付可能な硬貨やメダルの種類が異なっている。一方、右側に配置された２つのコインセレクタ９ｃ，９ｄは、２Ｐ側把持装置２００Ｒを用いた遊戯を行うためのコインセレクタであって、それぞれ受付可能な硬貨やメダルの種類が異なっている。本実施形態では、例えば、コインセレクタ９ａ，９ｃは、１００円硬貨のみ受付可能に構成されており、コインセレクタ９ｂ，９ｄは、５００円硬貨のみ受付可能に構成されているが、これに限定されない。コインセレクタ９ａ〜９ｄにより受け付けられた硬貨やメダルは、例えば、基台１の下部の回収箱に集められ、遊戯場の管理者が開錠操作して集金扉１ｂを開放させることにより、回収することができるようになっている。また、サービス用扉１ｃは開閉可能に構成されており、例えば、遊戯場の管理者が開錠操作してサービス用扉１ｃを開放させることにより、サービス設定やコインセレクタ９ａ〜９ｄのメンテナンス等を行うことができる。
【００３６】
また、本実施形態では、プレイフィールド２の後端部に陳列用の景品Ｐを陳列して展示するための陳列棚３００が立設されている。
【００３７】
続いて、本実施形態に係るクレーンゲーム機１００に設けられる陳列棚３００の構成について図２〜図４を参照しながら説明する。ここで、図２は、陳列棚３００の正面図であり、図３は、陳列棚３００の右側面図であり、図４は、陳列棚３００の斜視図である。
【００３８】
陳列棚３００は、クレーンゲーム機１００のプレイフィールド２内における底面にネジ止め固定される取付ベース３０１Ｌ，３０１Ｃ，３０１Ｒと、上端が折り曲げられたフランジを有して陳列棚本体３００Ａを支持する支持プレート３０３Ｌ，３０３Ｃ，３０３Ｒと、支持プレート３０３Ｌ，３０３Ｃ，３０３Ｒを取付ベース３０１Ｌ，３０１Ｃ，３０１Ｒに対して前後方向に摺動可能にするためのスライドレール３０２Ｌ，３０２Ｃ，３０２Ｒとを備え、これらは、それぞれ陳列棚３００の左端部、中央部、右端部に設けられている。
【００３９】
陳列棚本体３００Ａは、陳列棚３００の左端部に設けられた支持プレート３０３Ｌに一体的に取り付けられて上下方向に延在する左フレーム３０４Ｌと、陳列棚３００の右端部に設けられて上下方向に延在する支持プレート３０３Ｒに一体的に取り付けられる右フレーム３０４Ｒと、中央部に配置されて上下方向に延在する中央フレーム３０４Ｃとを備えている。
【００４０】
また、陳列棚本体３００Ａは、底面部３０５ｂと、この底面部３０５ｂの後端から立上げ形成された後方パネルとしての背面部３０５ａとを有し、側面視で略Ｌ字状に形成されたパネル３０５を備えている。パネル３０５は、背面部３０５ａが左フレーム３０４Ｌ、右フレーム３０４Ｒ及び中央フレーム３０４Ｃに対してネジ止め固定され、底面部３０５ｂが支持プレート３０３Ｌ，３０３Ｃ，３０３Ｒに対してネジ止め固定されている。パネル３０５は、アクリルやガラス等の透明部材によって形成されており、パネル３０５を通して反対側を透視することができる。なお、以下の説明において、左フレーム３０４Ｌ、右フレーム３０４Ｒ及び中央フレーム３０４Ｃを総称して単にフレームということがある。
【００４１】
左フレーム３０４Ｌは、ブラケット３０７を挿通可能な縦長の挿通孔３０４Ｌａ〜３０４Ｌｆが適宜数（本実施形態では６）上下方向に等間隔で並べて開設されている。これらの挿通孔３０４Ｌａ〜３０４Ｌｆにブラケット３０７を挿通することで、ブラケット３０７を左フレーム３０４Ｌに対して着脱可能に取り付けることができる。
【００４２】
右フレーム３０４Ｒは、ブラケット３０７を挿通可能な縦長の挿通孔３０４Ｒａ〜３０４Ｒｆが適宜数（本実施形態では６）上下方向に等間隔で並べて開設されている。これらの挿通孔３０４Ｒａ〜３０４Ｒｆにブラケット３０７を挿通することで、ブラケット３０７を右フレーム３０４Ｒに対して着脱可能に取り付けることができる。
【００４３】
中央フレーム３０４Ｃは、ブラケット３０７を挿通可能な縦長の挿通孔３０４Ｃａ〜３０４Ｃｍが適宜数開設されている。これらの挿通孔３０４Ｃａ〜３０４Ｃｍにブラケット３０７を挿通することで、ブラケット３０７を中央フレーム３０４Ｃに対して着脱可能に取り付けることができる。本実施形態では、挿通孔３０４Ｃａ〜３０４Ｃｍは、縦に６つ×横に２つ並べて配置されており、左側に配置された挿通孔３０４Ｃａ〜３０４Ｃｆは、左フレーム３０４Ｌに設けられた挿通孔３０４Ｌａ〜３０４Ｌｆにそれぞれ対応して設けられており、右側に配置された挿通孔３０４Ｃｇ〜３０４Ｃｍは、右フレーム３０４Ｒに設けられた挿通孔３０４Ｒａ〜３０４Ｒｆにそれぞれ対応して設けられている。
【００４４】
上述したようにして左フレーム３０４Ｌと中央フレーム３０４Ｃあるいは右フレーム３０４Ｒと中央フレーム３０４Ｃにそれぞれブラケット３０７を取り付けることでポール３０８を架設することができるようになる。ポール３０８は、長尺の棒状部材であり、ブラケット３０７に架設することで景品Ｐを陳列可能にしている。
【００４５】
ここで、図５及び図６を参照しながらブラケット３０７の構成について説明する。なお、図５（Ａ）は、ブラケット３０７の正面図であり、同図（Ｂ）は、ブラケット３０７の左側面図であり、同図（Ｃ）は、ブラケット３０７の平面図である。また、図６は、ブラケット３０７を左フレーム３０４Ｌに取り付けた状態を示す断面拡大図である。
【００４６】
図５に示すように、ブラケット３０７は、係止片３０７ａと支持片３０７ｂと本体部３０７ｃとを備えて構成され、金属により一体成形されている。係止片３０７ａは、フレーム３０４に開設された挿通孔に挿通されて、フレーム３０４の裏側で係止する。支持片３０７ｂは、く字状に折り曲げられ、ブラケット３０７がフレーム３０４に係止されたときにフレーム３０４の表側に当接してブラケット３０７にかかる負荷を受け止める。係止片３０７ａと支持片３０７ｂとの間には、フレーム３０４の厚みよりもわずかに大きい間隙が形成されている。本体部３０７ｃは、複数の切欠き３０７ｃ１〜３０７ｃ４が上端から切り欠かれるようにして形成されており、ポール３０８を挿通させることでポール３０８を支持することができる。本実施形態では、本体部３０７ｃに切欠きを４つ設けるようにしたが、１つであってもよいし、２つや３つあるいは５つ以上設けてもよい。
【００４７】
このようにして構成されたブラケット３０７は、図６に示すように、例えば、左フレーム３０４Ｌの挿通孔３０７Ｌａに係止片３０７ａを挿通し、下方にスライドさせることで、左フレーム３０４Ｌが係止片３０７ａと支持片３０７ｂとの間に形成された間隙に入り込み、ブラケット３０７が左フレーム３０４Ｌに嵌装される。
【００４８】
図２〜図４に示すように、一対のブラケット３０７を、左フレーム３０４Ｌと中央フレーム３０４Ｃあるいは右フレーム３０４Ｒと中央フレーム３０４Ｃにおいて、互いに対向するようにして取り付けることで、ポール３０８を架設することができる。しかも、ブラケットの本体部３０７ｃには、複数の切欠き３０７ｃ１〜３０７ｃ４が設けられているので、ポール３０８を前後方向の任意の位置に配置することができ、また、一対のブラケット３０７に対して複数のポール３０８を架設することも可能である。さらに、本実施形態では、ブラケット３０７に支持片３０７ｂが設けられているので、ポール３０８に景品Ｐが１ないし複数設置されて負荷が大きくなっても、支持片３０７ｂがフレーム３０４に当接することでブラケット３０７を支持するので、景品Ｐの展示を安定して行うことができる。また、本実施形態では、フレーム３０４に複数の挿通孔が形成されているので、ブラケット３０７を任意の高さに取り付けることができ、陳列する景品Ｐのディスプレイ効果に変化を与えることができる。
【００４９】
また、本実施形態では、パネル３０５の底面部３０５ｂの中央前端近傍に操作棒３０６が突設されている。操作棒３０６は、遊戯場のスタッフが陳列棚３００を前後方向にスライドさせる際の把持操作に用いられる。なお、操作棒３０６に換えて、パネル３０５の底面部３０５ｂに把持孔を開設し、遊戯場のスタッフが把持孔を把持して陳列棚３００をスライド操作可能に構成されてもよい。あるいは、パネル３０５の底面部３０５ｂに操作孔を開設し、遊戯場のスタッフが冶具を操作孔に挿通して陳列棚３００をスライド可能に構成されてもよい。
【００５０】
次に、本実施形態におけるスライドレール３０２Ｌ，３０２Ｃ，３０２Ｒの構成について、図７〜図９を参照しながら説明する。ここで、図７（Ａ）は、陳列棚が後方に位置するときのスライドレールの状態を示す図であり、同図（Ｂ）は、陳列棚が前方に位置するときのスライドレールの状態を示す図である。また、図８（Ａ）は、インナーレールが前端に位置するときのスライドレールの状態を示す図であり、同図（Ｂ）は、インナーレールの摺動中におけるスライドレールの状態を示す図であり、同図（Ｃ）は、インナーレールが後端に位置するときのスライドレールの状態を示す図である。また、図９（Ａ）は、図８（Ｃ）におけるスライドレールの後端部分の拡大図であり、図９（Ｂ）は、同図（Ａ）におけるＡ−Ａ断面図である。スライドレール３０２Ｌ，３０２Ｃ，３０２Ｒは、いずれも同様の構成であるので、以下の説明では、陳列棚３００の右端部に設けられた取付ベース３０１Ｒに取り付けられたスライドレール３０２Ｒを例示して説明する。なお、図８及び図９では、説明を容易にするために、スライドレール３０２Ｌ，３０２Ｃ，３０２Ｒのいずれを特定せず、単に「スライドレール３０２」と称することとする。
【００５１】
図７（Ａ）に示すように、スライドレール３０２Ｒ（スライドレール３０２）は、取付ベース３０１Ｒの側面上端にネジ止めにより取り付けられている。このとき、スライドレール３０２は、後方に所定角度（傾斜角度θ）下り傾斜するようにして取り付けられている。本実施形態では、傾斜角度θを２度に設定している。なお、傾斜角度θは、陳列棚３００の大きさ、重さやクレーンゲーム機１００の規模等を考慮して適宜の角度に設定することができるが、０．５〜５度の範囲に設定するのが好適である。
【００５２】
スライドレール３０２は、取付ベース３０１Ｒに取り付けられるアウターレール３０２Ｒａ（アウターレール３０２ａ）と、リテーナ３０２Ｒｂ（リテーナ３０２ｂ）に回転自在に保持された複数のボール３１２３ａ〜３１２３ｍを介して、アウターレール３０２ａに対して摺動自在に装着され、支持プレート３０３Ｒにネジ止めにより取り付けられるインナーレール３０２Ｒｃ（インナーレール３０２ｃ）と、アウターレール３０２ａの先端において折曲形成され、リテーナ３０２ｂの先端に当接させることでリテーナ３０２ｂの移動を規制するストッパ３０２Ｒｆ（ストッパ３０２ｆ）と、アウターレール３０２ａの先端部近傍の外側において内周に向けて突設され、リテーナ３０２ｂに保持されたボールに係合させることでリテーナ３０２ｂをアウターレール３０２ａに係合保持させるための係合突部３０２Ｒｄ（係合突部３０２ｄ）と、インナーレール３０２ｃとの摺動摩擦抵抗を増加させてインナーレール３０２ｃの摺動速度を減速させるための減速部材３０２Ｒｅ（減速部材３０２ｅ）とを備えて構成されている。なお、図７〜図９において、理解を容易にするため、インナーレール３０２ｃを二点鎖線にて表し、内部を透視している。
【００５３】
アウターレール３０２ａは、長手方向の両端部を内向き円弧状に屈曲させて断面Ｃ字状をなし、内面にリテーナ３０２ｂのボール３１２３ａ〜３１２３ｍを摺接可能に形成されている。
【００５４】
リテーナ３０２ｂは、アウターレール３０２ａの内周底面に対し平行して配置されるベース板３１２１と、ベース板３１２１の長手方向の両側端部を略垂直に折り曲げて互いに対向するように形成されたボール保持片３１２２ａ〜３１２２ｍと、ボール保持片３１２２ａ〜３１２２ｍに保持されて摺動方向に回転自在な複数個のボール３１２３ａ〜３１２３ｍとを備えて構成されている。
【００５５】
インナーレール３０２ｃは、アウターレール３０２ａの内周底面に対し平行して配置されるベース板３３２１と、ベース板３３２１の長手方向の両側端部を外向き円弧状に屈曲させた屈曲部３３２２とを備え、屈曲部３３２２の外面にリテーナ３０２ｂのボール３１２３ａ〜３１２３ｍを摺接可能に構成されている。また、インナーレール３０２ｃの後端には折曲形成されたストッパが設けられており、リテーナ３０２ｂの後端に当接させることでインナーレール３０２ｃの前方への移動を規制する。
【００５６】
減速部材３０２ｅは、例えば、硬質樹脂によって構成されて、アウターレール３０２ａの後端から所定距離離れた位置に設けられており、アウターレール３０２ａの内周底面に貼付される板状の取付部３２２１と、取付部３２２１の両側端に一体に設けられた減速部３２２２ａ，３２２２ｂとを備えて構成されている。減速部３２２２ａ，３２２２ｂは、先端から後端にかけて漸次径大とされた円錐台形状とされている。すなわち、減速部材３０２ｅは、摺接部材ということもできる。
【００５７】
上述したようにして構成されたスライドレール３０２は、図７（Ａ）に示す状態（すなわち、陳列棚本体３００Ａが展示位置にある状態）から陳列棚本体３００Ａが引き出されてインナーレール３０２ｃが前方に移動すると（図８（Ｃ）参照）、リテーナ３０２ｂは、ボール３１２３ａ〜３１２３ｍを介してインナーレール３０２ｃの摺動距離の略１／２の距離を移動し（図８（Ｂ）参照）、その後、リテーナ３０２ｂの前端部がストッパ３０２ｆに当接するとともに、インナーレール３０２ｃの後端に形成されたストッパがリテーナ３０２ｂの後端に当接して、インナーレール３０２ｃの前方への移動が規制される。このとき、リテーナ３０２ｂの最先端部に配置されたボール３１２３ａ，３１２３ｇがアウターレール３０２ａに設けられた係合突部３０２ｄに押圧されてボール保持片３１２２ａ，３１２２ｇが内側に弾性変形し、ボール３１２３ａ，３１２３ｇが係合突部３０２ｄを乗り越えるとボール保持片３１２２ａ，３１２２ｇが弾性変形から復元し、リテーナ３０２ｂが保持され（図７（Ｂ）及び図８（Ａ）参照）、陳列棚本体３００Ａが作業位置で保持された状態となる。このようにして、陳列棚本体３００Ａを前方に移動させることができる。しかも、スライドレール３０２により陳列棚本体３００Ａの移動を簡便に行わせることができる。このように、本実施形態において、アウターレール３０２ａに設けられた係合突部３０２ｄは、保持手段として機能している。
【００５８】
その後、図７（Ｂ）に示す状態から陳列棚本体３００Ａを後方位置に戻す場合には、所定の押圧力で陳列棚本体３００Ａが押圧されると、リテーナ３０２ｂの最先端部に配置されたボール３１２３ａ，３１２３ｇがアウターレール３０２ａに設けられた係合突部３０２ｄに押圧されてボール保持片３１２２ａ，３１２２ｇが内側に弾性変形し、リテーナ３０２ｂが後方への移動を開始する（図８（Ａ）参照）。本実施形態では、上述したようにスライドレール３０２が後方に向けて下り傾斜をなすように取り付けられているので、陳列棚本体３００Ａの自重により後方へ移動する。そのため、陳列棚本体３００Ａの押圧操作が不要となる。また、陳列棚本体３００Ａの重心位置によって不用意に前方に移動することを防止することもできる。すると、リテーナ３０２ｂは、ボール３１２３ａ〜３１２３ｍを介してインナーレール３０２ｃの摺動距離の略１／２の距離を移動し（図８（Ｂ）参照）、その後、インナーレール３０２ｃの屈曲部３３２２の外面が減速部材３０２ｅの減速部３２２２ａ，３２２２ｂとの摺接が開始される。減速部３２２２ａ，３２２２ｂは、前端から後端にかけて径大とされているので、その後は、インナーレール３０２ｃの屈曲部３３２２の外面と減速部３２２２ａ，３２２２ｂとの摺接面積が徐々に大きくなって摺動摩擦抵抗が増加する。そのため、インナーレール３０２ｃが減速し（すなわち、陳列棚本体３００Ａが減速し）、その後、支持プレート３０３Ｃのフランジの下面が取付ベース３０１Ｃの上端縁に当接して陳列棚本体３００Ａの後方への移動が規制され（図７（Ａ）及び図８（Ｃ）参照）、陳列棚本体３００Ａが展示位置に位置することとなる。
【００５９】
このように、本実施形態では、スライドレール３０２が移動手段として機能している。また、本実施形態では、減速部材３０２ｅが減速手段として機能している。なお、本実施形態では、移動手段としてスライドレール３０２を採用したが、陳列棚本体３００Ａを前後方向に移動させることができるものであればいずれのものも採用することができ、例えば、移動手段として、所定の軌道上を転動するローラやホイール等の転動部材によって構成し、陳列棚本体３００Ａを前後方向に移動させるようにしてもよい。また、本実施形態において、陳列棚本体３００Ａが展示位置あるいは作業位置に到達したときに陳列棚本体３００Ａに対する衝撃を緩衝する緩衝部材を設けてもよい。緩衝部材としては、ゴムや樹脂あるいはバネ等の弾性部材や、ダンパ等の衝撃吸収装置等が挙げられる。
【００６０】
図１０は、クレーンゲーム機１００の使用状態を示す斜視図である。陳列棚３００は上述したように構成されており、様々な態様で陳列用の景品Ｐを陳列して展示することができるので、多彩なレイアウトにより、ディスプレイ効果を向上させて遊戯意欲を掻き立てることができる。
【００６１】
次に、上述したようにして構成された陳列棚３００に陳列用の景品Ｐをは配置するための作業手順について、図１１及び図１２を参照しながら説明する。ここで、図１１は、陳列棚３００に景品Ｐを設置する作業手順について説明する図であって、同図（Ａ）は、陳列棚３００を操作している様子を示す図であり、同図（Ｂ）は、陳列棚３００に景品Ｐを設置している様子を示す図であり、同図（Ｃ）は、景品の設置作業が終了した様子を示す図である。また、図１２は、陳列棚３００に対する景品Ｐの設置態様の一例を示す図であって、同図（Ａ）は、ポール３０８に景品Ｐを載置して展示している状態を示す図であり、同図（Ｂ）は、ポール３０８に景品を吊設して展示している状態を示す図であり、同図（Ｃ）は、ポール３０８と後方パネル（パネル３０５の背面部３０５ａ）とで挟持して展示している状態を示す図である。
【００６２】
図１１（Ａ）に示すように、陳列棚３００に景品Ｐを設置する場合、遊戯場のスタッフＯＰが前面スライドドア２ｂＬ，２ｂＲを開扉し、プレイフィールド２内にアクセスする。そして、展示位置にある陳列棚本体３００Ａに設けられた操作棒３０６を握持して手前側に引くと、スライドレール３０２によって陳列棚本体３００Ａが矢印ＦＷに示すように前方にスライドする。その後、スライドレール３０２のリテーナ３０２ｂがアウターレール３０２ａのストッパ３０２ｆに当接する位置でリテーナ３０２ｂがアウターレール３０２ａに保持され、その結果、図１１（Ｂ）に示すように、陳列棚本体３００Ａが作業位置で保持される。その後、陳列棚本体３００Ａの適宜位置に景品Ｐを適宜の態様で設置する。
【００６３】
景品Ｐの設置態様としては、例えば、図１２に示すような態様が挙げられる。例えば、図１２（Ａ）に示すように、一対のブラケット３０７に対して複数のポール３０８を架設し、その上に景品Ｐを載置したり、図１２（Ｂ）に示すように、一対のブラケット３０７に架設されたポール３０８に景品Ｐのストラップを挿通させて景品Ｐを吊下げたり、図１２（Ｃ）に示すように、一対のブラケット３０７に架設されたポール３０８とパネル３０５の背面部３０５ａとで景品Ｐを挟持したりする態様が挙げられる。なお、景品Ｐの設置態様は上述したものに限定されず、その他の態様により展示してもよいことはいうまでもなく、例えば、パネル３０５の底面部３０５ｂに景品Ｐを載置する態様を採用してもよい。
【００６４】
陳列棚３００への景品Ｐの設置が終了した後は、図１１（Ｃ）に示すように、陳列棚本体３００Ａの操作棒３０６を握持して押動させたり、陳列棚本体３００Ａ自体を押動させると、スライドレール３０２に対するリテーナ３０２ｂの保持状態が解除され、陳列棚本体３００Ａの自重により矢印ＢＷに示すように後方への移動を開始する。その後、陳列棚本体３００Ａが作業位置に到達して陳列棚本体３００Ａの移動が規制される一方で、遊戯場のスタッフＯＰは、遊戯に供する景品Ｐを配置したり、景品Ｐの配置作業を終了して前面スライドドア２ｂＬ，２ｂＲを閉扉する。
【００６５】
このように、本実施形態によれば、陳列棚３００に景品Ｐを陳列する場合、陳列棚本体３００Ａを手前に移動させて景品Ｐの設置作業を行うことができるので、陳列棚３００におけるディスプレイ変更の作業負担が軽減される。
【００６６】
次に、図１３及び図１４を参照しながら、本実施形態に適用可能な陳列棚の別の例について説明する。ここで、図１３は、陳列棚の他の例を示す斜視図であり、図１４（Ａ）は、図１３に示す陳列棚のサイドパネルを示す図であり、図１４（Ｂ）は、図１３に示す陳列棚に適用可能なサイドパネルの別の例を示す図である。
【００６７】
図１３に示す陳列棚１３００は、陳列棚本体１３００Ａの左フレーム３０４Ｌ及び右フレーム３０４Ｒにそれぞれポール１３０８を架設可能にするサイドパネル１３０１Ｌ，１３０１Ｒを備えており、ブラケット３０７の着脱を省略可能に構成されたものである。なお、ブラケット３０７と併用してもよい。サイドパネル１３０１Ｌ，１３０１Ｒは、アクリル等の樹脂あるいはガラス等の透明部材により構成されている。
【００６８】
ここで、サイドパネル１３０１Ｌ，１３０１Ｒの形状について、図１４（Ａ）を参照しながら説明する。なお、サイドパネル１３０１Ｌ，１３０１Ｒは左右対称に構成されている他は同様の構成とされているので、サイドパネル１３０１Ｒを例に説明する。
【００６９】
図１４（Ａ）に示すように、サイドパネル１３０１Ｒには、上下方向に６つのポール支持孔１３０１Ｒａ〜１３０１Ｒｆが略等間隔で開設されている。最上段に配置されるポール支持孔１３０１Ｒａは、それぞれ、上下に延在する６つの長孔１３０１Ｒａ１〜１３０１Ｒａ６が側面視左右方向に並列して開設されるとともに、これら６つの長孔１３０１Ｒａ１〜１３０１Ｒａ６の中央を貫通するようにして連絡孔１３０１Ｒａ７が水平方向に延在して開設されるようにして構成されている。ポール支持孔１３０１Ｒａは、棒状で長尺のポール１３０８に貫通されて長孔１３０１Ｒａ１〜１３０１Ｒａ６の下端縁でポール１３０８を支持可能に構成されている。ポール１３０８の支持位置を変更する場合には、何れかの長孔１３０１Ｒａ１〜１３０１Ｒａ６に支持されたポール１３０８を持ち上げ、連絡孔１３０１Ｒａ７において水平方向に移動させた後、所望の長孔１３０１Ｒａ１〜１３０１Ｒａ６に嵌め込ませることで実現することができる。サイドパネル１３０１Ｌにおいても同様にしてポール１３０８を移動させる。なお、２段目に配置されたポール支持孔１３０１Ｒｂから最下段に配置されたポール支持孔１３０１Ｒｆも最上段に配置されるポール支持孔１３０１Ｒａと同様の構成とされている。また、ポール１３０８を他の段に配置されたポール支持孔に移動させる場合には、ポール１３０８をサイドパネル１３０１Ｒ，１３０１Ｌのポール支持孔から抜き取って、他のポール支持孔に挿通することで実現することができる。
【００７０】
図１４（Ｂ）は、本実施形態に適用可能なサイドパネルの別の例である。なお、左側に設置されるサイドパネル２３０１Ｌと右側に設置されるサイドパネル２３０１Ｒは左右対称に構成されている他は同様の構成とされているので、右側に設置されるサイドパネル２３０１Ｒを例に説明する。
【００７１】
図１４（Ｂ）に示すサイドパネル２３０１Ｒは、上下方向に５つのポール支持孔２３０１Ｒａ〜２３０１Ｒｅが略等間隔で開設されている。最上段に配置されるポール支持孔２３０１Ｒａは、それぞれ、上下に延在する４つの長孔２３０１Ｒａ１〜２３０１Ｒａ４が側面視左右方向に並列して開設されるとともに、これら４つの長孔２３０１Ｒａ１〜２３０１Ｒａ４の上端で接続する連絡孔２３０１Ｒａ５が水平方向に延在して開設されるようにして構成されている。ポール支持孔２３０１Ｒａは、ポール１３０８に貫通されて長孔２３０１Ｒａ１〜２３０１Ｒａ４の下端縁でポール１３０８を支持可能に構成されている。ポール１３０８の支持位置を変更する場合には、いずれかの長孔２３０１Ｒａ１〜２３０１Ｒａ４に支持されたポール１３０８を持ち上げ、連絡孔２３０１Ｒａ５において水平方向に移動させた後、所望の長孔２３０１Ｒａ１〜２３０１Ｒａ４に嵌め込ませることで実現することができる。なお、２段目に配置されたポール支持孔２３０１Ｒｂから最下段に配置されたポール支持孔２３０１Ｒｅも最上段に配置されるポール支持孔２３０１Ｒａと同様の構成とされている。また、ポール１３０８を他の段に配置されたポール支持孔に移動させる場合には、ポール１３０８をサイドパネル２３０１Ｒ，２３０１Ｌのポール支持孔から抜き取って、他のポール支持孔に挿通することで実現することができる。
【００７２】
以上説明したように、本実施形態によれば、プレイフィールド２内の後方に立設され、景品Ｐを配置して展示するための陳列棚本体３００Ａと、陳列棚本体３００Ａをプレイフィールド２内において前後方向に移動可能なスライドレール３０２とを備えている。その結果、景品陳列棚におけるレイアウト変更を容易ならしめて作業コストを低減させることができる。
【００７３】
また、本実施形態によれば、陳列棚本体３００Ａは、プレイフィールド２内の後方における展示位置と、陳列棚本体３００Ａに対する景品Ｐの配置作業を行うための作業位置との間でスライドレール３０２により変位可能であり、陳列棚本体３００Ａを作業位置で保持するための係合突部３０２ｄをさらに備えているので、景品陳列棚への景品の配置作業中に景品陳列棚が不用意に移動しないようにすることができ、作業負担を軽減できる。
【００７４】
また、本実施形態によれば、スライドレール３０２は、後方に向けて下り傾斜をなすように構成されているので、景品陳列棚への景品の配置作業が終了した後、景品陳列棚を展示位置に戻す際に景品陳列棚が自重で展示位置に向かって移動するので、作業負担をさらに軽減できる。さらに、景品陳列棚が不用意に前方に移動することを防止することもできる。
【００７５】
また、本実施形態によれば、後方に移動する陳列棚本体３００Ａを減速させる減速部材３０２ｅを備えているので、景品陳列棚が後方に移動して所定の位置（展示位置）に到達したときの衝撃を減少させることができ、景品陳列棚に配置された景品が景品陳列棚から落ちてしまうような不都合が生じ難くなり、また、製品の耐久性を向上させることができる。
【００７６】
また、本実施形態によれば、減速部材３０２ｅは、スライドレール３０２における摺動摩擦抵抗を増加させる摺接部材により構成されているので、簡単な構造で実現でき、製品コストを低減させることができる。
【００７７】
また、本実施形態によれば、スライドレール３０２を採用しているので、簡素な構成で実現することができる。
【００７８】
なお、本発明の実施の形態に記載された作用および効果は、本発明から生じる最も好適な作用および効果を列挙したに過ぎず、本発明による作用および効果は、本発明の実施の形態に記載されたものに限定されるものではない。
【符号の説明】
【００７９】
１００  クレーンゲーム機（景品取得ゲーム装置）
２  プレイフィールド
２００  把持装置（景品取得装置）
３００  陳列棚
３００Ａ  陳列棚本体（景品陳列棚）
３０２（３０２Ｌ，３０２Ｃ，３０２Ｒ）  スライドレール（移動手段）
３０２ｅ  減速部材（減速手段、摺接部材）
【図１】
2019136171.tif 000003
【図２】
2019136171.tif 000004
【図３】
2019136171.tif 000005
【図４】
2019136171.tif 000006
【図５】
2019136171.tif 000007
【図６】
2019136171.tif 000008
【図７】
2019136171.tif 000009
【図８】
2019136171.tif 000010
【図９】
2019136171.tif 000011
【図１０】
2019136171.tif 000012
【図１１】
2019136171.tif 000013
【図１２】
2019136171.tif 000014
【図１３】
2019136171.tif 000015
【図１４】
2019136171.tif 000016